(57)【要約】      （修正有）【課題】誰でも簡単に無害で良質なくん炭・籾酢が作れ、且つ、くん炭の炭化速度・炭化温度・ＰＨ値等を可変可能なくん炭製造装置を開発する事にある。【解決手段】主に窯１と自動水平伸縮式固定パイプ付電磁開閉器６と制御盤７と送風機８で構成され、且つ、該窯は上部側面に煙突ダンパー・籾酢液採取口付煙突を有する窯本体と窯本体の上面部に密閉可能な着火口を有する籾殻投入用蓋２を設け、且つ、該窯本体の下部側面一方に前後移動式中仕切りとロックハンドル付取出し口扉３を設け、下部側面他方に空気取入口用開閉蓋４を設け、且つ、くん炭製造時には上部の籾殻投入用蓋と下部の取出し口扉を密閉し、下部の空気取入口用開閉蓋と煙突部のダンパーを開いて着火し、送風機８により空気を送り、設定温度に達した時点で空気取入口用開閉蓋が自動的に閉蓋し、送風機が停止し、同時に煙突部のダンパーを手動で閉じて空気を遮断し、籾殻が燃えて灰化する事を防止可能にした。【選択図】図１
0003108230.tif 000002
【実用新案登録請求の範囲】
【請求項１】
籾殻を焼いて、くん炭を製造する装置であって、該装置は主に窯（１）と自動水平伸縮式固定パイプ（６ａ）付電磁開閉器（６）と制御盤（７）と送風機（８）で構成され、且つ、該窯（１）は上部側面に煙突ダンパー（５ｂ）・籾酢液採取口（５ｃ）付煙突（５）を有する窯本体（１ａ）と窯本体の上面部に密閉可能な着火口用蓋（２ａ）を有する籾殻投入用蓋（２）を設け、且つ、該窯本体（１ａ）の下部側面一方に前後移動式中仕切り（３ａ’）とロックハンドル（３ｂ）付取出し口扉（３）を設け、下部側面他方に空気取入口（１ｂ）用開閉蓋（４）を設け、且つ、くん炭製造時には、上部の籾殻投入用蓋（２）と下部の取出し口扉（３）を密閉し、下部の空気取入口用開閉蓋（４）と煙突部のダンパー（５ｂ）を開いて着火し、送風機により空気を送り、設定温度に達した時点で空気取入口用開閉蓋（４）が自動的に閉蓋し、送風機（８）が停止し、同時に煙突部のダンパー（５ｂ）を手動で閉じて空気を遮断し、籾殻（Ｃ）が燃えて灰化する事を防止可能にした事を特徴とするくん炭製造装置。
【考案の詳細な説明】
【技術分野】
【０００１】
この考案は、籾殻を焼いて、くん炭にする、くん炭製造装置に関するものである。
【背景技術】
【０００２】
従来、くん炭は畑等広い場所に籾殻を山積みにして焼いていたが、熟練を要する為誰でも簡単に焼く事は出来ず、半分以上が灰に成ってしまう等の問題があった。
【０００３】
又、従来のくん炭製造装置としては、くん炭の原料となる木材チップや生ゴミ等の有機材料を、コンベア等の搬入手段にて炭化容器内に連続的に送り込みつつ、その炭化容器を燃焼炉にて過熱して有機材料を炭化させ、更にその炭化したくん炭を連続的に炭化容器の取り出し口から取り出す様に構成したものが公知である。
【０００４】
しかし、従来のくん炭製造装置では、くん炭製造の際に発生する乾留ガスをそのまま外気に排出するので、悪臭や煙等の公害が発生するという問題があった。又、乾留ガスは可燃性がある為危険で有り、且つ、熱の無駄であった。
【０００５】
又、上記以外にこれまで出願されている、くん炭製造装置の特許文献の一例を紹介する。（特許文献１〜５参照。）
【特許文献１】特開平５−１４０５６４
【特許文献２】特開平５−１４０５６５
【特許文献３】特開平５−１４０５６６
【特許文献４】特開平７−３３１２４９
【特許文献５】特開平１０−０３６８５３
【考案の開示】
【考案が解決しようとする課題】
【０００６】
そこで、この考案は、誰でも簡単に無公害で良質なくん炭・籾酢が作れ、且つ、くん炭の炭化速度・炭化温度・ＰＨ値等を可変可能なくん炭製造装置を開発・提供する事にある。
【課題を解決するための手段】
【０００７】
上記課題を達成する為に、この考案は、主に窯と自動水平伸縮式固定パイプ付電磁開閉器と制御盤と送風機で構成され、且つ、該窯は上部側面に煙突ダンパー・籾酢液採取口付煙突を有する窯本体と窯本体の上面部に密閉可能な着火口を有する籾殻投入用蓋を設け、且つ、該窯本体の下部側面一方に前後移動式中仕切りとロックハンドル付取出し口扉を設け、下部側面他方に空気取入口用開閉蓋を設け、且つ、くん炭製造時には、上部の籾殻投入用蓋と下部の取出し口扉を密閉し、下部の空気取入口用開閉蓋と煙突部のダンパーを開いて着火し、送風機により空気を送り、設定温度に達した時点で空気取入口用開閉蓋が自動的に閉蓋し、送風機が停止し、同時に煙突部のダンパーを手動で閉じて空気を遮断し、籾殻が燃えて灰化する事を防止可能にしたものである。
【考案の効果】
【０００８】
この考案の効果として、窯の上部側面に煙突ダンパー・籾酢液採取口付煙突を有する窯本体と窯本体の上面部に密閉可能な着火口を有する籾殻投入用蓋を設け、且つ、該窯本体の下部側面一方に前後移動式中仕切りとロックハンドル付取出し口扉を設け、下部側面他方に空気取入口用開閉蓋を設け、且つ、くん炭製造時には、上部の籾殻投入用蓋と下部の取出し口扉を密閉し、下部の空気取入口用開閉蓋と煙突部のダンパーを開いて着火し、送風機により空気を送り、設定温度に達した時点で空気取入口用開閉蓋が自動的に閉蓋し、送風機が停止し、同時に煙突部のダンパーを手動で閉じて空気を遮断し、籾殻が燃えて灰化する事を防止可能にする事で、誰でも簡単に無公害で良質なくん炭・籾酢が作れ、且つ、くん炭の炭化速度・炭化温度・ＰＨ値等を可変可能にする事で、土や農作物の育成を変える事が出来る。
【０００９】
又、籾殻を有効活用する事で、農作物の収穫増加と作業性の効率アップ等、品質性・作業性・経済性面で極めて有益なる効果を奏するものである。
【考案を実施するための最良の形態】
【００１０】
そこで、この考案の最良の形態は、農作物や土の育苗状況や環境・気温・気候等に適合したくん炭の炭化速度・炭化温度・ＰＨ値に設定する事が重要に成ってくる。
【実施例１】
【００１１】
そこで、この考案の一実施例を図１から図４に基づいて詳述すると、この考案は籾殻を焼いて、くん炭（Ｃ’）を製造する装置であって、該装置は主に窯（１）と自動水平伸縮式固定パイプ（６ａ）付電磁開閉器（６）と制御盤（７）と送風機（８）で構成され、且つ、該窯（１）は上部側面に煙突ダンパー（５ｂ）・籾酢液採取口（５ｃ）付煙突（５）を有する窯本体（１ａ）と窯本体の上面部に密閉可能な着火口用蓋（２ａ）を有する籾殻投入用蓋（２）を設け、且つ、該窯本体（１ａ）の下部側面一方に前後移動式中仕切り（３ａ’）とロックハンドル（３ｂ）付取出し口扉（３）を設け、下部側面他方に空気取入口（１ｂ）用開閉蓋（４）を設け、且つ、くん炭製造時には、上部の籾殻投入用蓋（２）と下部の取出し口扉（３）を密閉し、下部の空気取入口用開閉蓋（４）と煙突部のダンパーを開いて着火し、送風機により空気を送り、設定温度に達した時点で空気取入口用開閉蓋（４）が自動的に閉蓋し、送風機（８）が停止し、同時に煙突部のダンパー（５ｂ）を手動で閉じて空気を遮断し、籾殻（Ｃ）が燃えて灰化する事を防止可能にした事を特徴とするくん炭製造装置から構成される。
【００１２】
そして、この装置の主な特徴は外気温度の影響を防止する為、窯本体（１ａ）の構造が腐食・熱に強い高強度のアルマー合金を採用した完全二重構造で、且つ、くん炭（Ｃ’）の取出し口（３）に前後移動式中仕切り（３ａ’）とロックハンドル（３ｂ）を設けて、炉内部の隙間を無くし、又、空気取入口用開閉蓋（４）が窯内部の温度が設定温度に達したら自動的に閉じる様に成っている。又、くん炭（Ｃ’）の炭化速度・炭化温度・ＰＨ値（水素イオン濃度指数）を可変式にする事で土や作物の施用効果を発揮する事が出来る。
【００１３】
次に、この装置の炭化手順について説明すると、まず、最初に装置（窯本体）の設置と籾柄（Ｃ）の詰め込み作業であるが、くん炭製造装置である窯（１）を水平に設置し、籾殻投入用蓋（２）の上部二箇所に設けられた取手（２ｂ）を持って蓋を（２）取り外す。そして、くん炭取出し口扉（３）のレバー（３ａ）を奥まで確実に押し込み、中仕切り（３ａ’）で炉内側の隙間を無くし、籾殻（Ｃ）を窯の中に投入する。この際、籾殻（Ｃ）が煙突（５）の吸い込み口（５ａ）を塞がない様、煙突（５）の吸い込み口（５ａ）の手前まで投入する。
【００１４】
次に、焚付け作業であるが、空気の取入口をセットする為、窯の空気取入口用開閉蓋（４）を開け電磁開閉器（６）の固定パイプ（６ａ）を、図２に示す様に空気取入口用開閉蓋（４）に付いている金具（４ａ）の穴部（４ａ’）に通す。そして、次に制御ボックス（７）の蓋を開け、サーモの温度を温度調節ダイヤルで設定する。（通常の設定温度は３７０℃である。）
【００１５】
次に、窯本体（１ａ）に入れた籾殻（Ｃ）の上にジョロ等を使用して万遍なく灯油を撒く。そして、籾殻投入用蓋（２）を持ち上げ回転させて元の位置に戻し、窯に籾殻投入用蓋（２）をしたら窯本体上部４箇所に設けた固定用ネジ（２ｃ）でしっかり固定する。そして、籾殻投入用蓋（２）に付いている着火口用蓋（２ａ）を取り、籾殻（Ｃ）に火を着け、籾殻（Ｃ）に火が着いた事を確認して着火口用蓋（２ａ）をする。
【００１６】
次に、制御盤（７）内のブレーカーの電源を入れ、更に温度調整用スィッチ（７ａ）をＯＮにして、サーモ送風機用電源（７ｂ）を入れる。この際、自然送風で炭化したい場合は、５分程度送風機（８）を動かしてからサーモ送風機用電源（７ｂ）をＯＦＦにする。又、炭化時間は自然送風時で約６時間、強制送風時で約２時間である。
【００１７】
上記（００１２）温度調節スィッチの作動内容及び留意点について説明すると、窯本体（１ａ）の下部に温度センサー（ＨＳ）が有り、設定温度に成ると、電磁開閉器（６）が励磁され、空気取入口（１ｂ）の開閉蓋（４）にセットした固定パイプ（６ａ）が引っ込み、空気取入口（１ｂ）の開閉蓋（４）が落下して開閉蓋が密閉される。又、この時、送風機（８）のサーモ送風機用電源（７ｂ）をＯＮにしていても設定温度になれば自動的に電源が切れる様に成っている。又、煙突部のダンパーは自動では閉まらないが、空気取入口（１ｂ）の開閉蓋（４）が閉まっている為、窯の中のくん炭が直に灰になる事はない。しかし、空気取入口（１ｂ）の開閉蓋（４）が閉じたら、なるべく早く煙突ダンパー・籾酢液採取口（５ｂ）を閉じること。そして、全て完全密閉した状態で窯が冷えるまで放置しておく。
【００１８】
次に、くん炭取出し作業について説明すると、窯が完全に冷えた事を確認後、くん炭取出し口扉（３）のレバー（３ａ）を手前に引き、中仕切り（３ａ’）を手前に移動させ、次に取出し口扉（３）の側部上下２ヶ所に設けたロックハンドル（３ｂ）を緩め、取出し口扉（３）の止め金具から外して扉を開く。そして、窯の中にくん炭（Ｃ’）があるので、灰掻き棒で外へ掻き出し、取り出したら、くん炭は直に袋等に入れず、一度安全な場所で外気に曝して自然冷却させる。
【００１９】
次に、上記に説明したくん炭（Ｃ’）の活用法について、概要を説明すると主に害虫の予防や土壌改良や地温上昇や連作障害防止や微生物増殖と水質浄化や冷害の軽減等多くの作物の育苗培地として施用効果が認められている。
【００２０】
次に、籾殻（Ｃ）を焼いた時の煙を冷やして採れる籾酢液の採取場所は煙突の下部に設けた取出し口（５ｃ）から抽出する。又、植物の細胞のエキスといえるこの籾酢は植物の活性や穂枯れ防止や減農薬効果等、多くの活用法がある。
【産業上の利用可能性】
【００２１】
この考案は、誰でも簡単に無公害で良質なくん炭・籾酢が作れ、且つ、くん炭の炭化速度・炭化温度・ＰＨ値等を可変可能にする事で、多くの農業市場に寄与する点で、産業上の利用可能性を有する。
【図面の簡単な説明】
【００２２】
【図１】この考案の一実施例を示し、一部欠截正面図である。
【図２】この考案の一実施例を示し、平面図である。
【図３】この考案の一実施例を示し、右側面図である。
【図４】この考案の一実施例を示し、図１のａ−ａ矢視断面図である。
【図５】この考案の使用例を示し、断面図である。
【符号の説明】
【００２３】
１  窯
１ａ  窯本体
１ｂ  空気取入口
２  籾殻投入用蓋
２ａ  着火口用蓋
２ｂ  取手
２ｃ  固定用ネジ
３  取出し口扉
３ａ  レバー
３ａ’  中仕切り
３ｂ  ロックハンドル
４  空気取入口用蓋
４ａ  金具
４ａ’  穴部
５  煙突
５ａ  吸い込み口
５ｂ  煙突ダンパー
５ｃ  籾酢液採取口
６  電磁開閉器
６ａ  固定パイプ
７  制御盤
７ａ  温度調整用スィッチ
７ｂ  サーモ送風機用電源
８  送風機
Ｃ  籾殻
Ｃ’  くん炭
ＨＳ  温度センサー
【図１】
0003108230.tif 000003
【図２】
0003108230.tif 000004
【図３】
0003108230.tif 000005
【図４】
0003108230.tif 000006
【図５】
0003108230.tif 000007